(57)【要約】    【課題】  洗浄液を閉鎖系にて使用することができ、かつ一時に大量の洗浄液を吐出させることのできる洗浄液送給具を提供する。    【解決手段】  人体の部位を洗浄するための洗浄液送給具３０について、例えば、チューブ２１と、チューブ２１の一方の先端に設けられた、洗浄液の収容容器の口部に密嵌可能な容器連結部２２と、チューブ２１の他方の先端に設けられて、洗浄液の吸引具（シリンジ１５）または吐出具（ノズル２６）に密嵌可能な連結部（三方活栓２３のメス型連結部２４ｂ等）と、を備えるものとする。    【効果】  密閉型可撓性容器４０に収容された洗浄液を、三方活栓型アダプタ２３を介して、その連結部（メス型連結部２４ｂ等）に密嵌したシリンジ１５やノズル２６へと、密閉状態を維持しつつ送給することができる。また、洗浄液を閉鎖系にてシリンジ１５内に充填させることができる。【選択図】  図３
0003101748.tif 000002
【実用新案登録請求の範囲】
【請求項１】
人体の部位を洗浄するための洗浄液送給具であって、
チューブと、
当該チューブの一方の先端に設けられた、洗浄液を収容する密閉型可撓性容器の口部に密嵌可能な容器連結部と、
上記チューブの他方の先端に設けられて、洗浄液の吸引具または吐出具に密嵌可能な連結部と、
を備える洗浄液送給具。
【請求項２】
人体の部位を洗浄するための洗浄液送給具であって、
チューブと、
当該チューブの一方の先端に設けられた、洗浄液を収容する密閉型可撓性容器の口部に密嵌可能な容器連結部と、
上記チューブの他方の先端に設けられた、洗浄液を吸引するためのシリンジに密嵌可能なメス型連結部と、
を備える洗浄液送給具。
【請求項３】
人体の部位を洗浄するための洗浄液送給具であって、
チューブと、
当該チューブの一方の先端に設けられた、洗浄液を収容する密閉型可撓性容器の口部に密嵌可能な容器連結部と、
上記チューブの他方の先端に設けられた、洗浄液を吐出するためのノズルに密嵌可能なオス型連結部と、
を備える洗浄液送給具。
【請求項４】
人体の部位を洗浄するための洗浄液送給具であって、
チューブと、
当該チューブの一方の先端に設けられた、洗浄液を収容する密閉型可撓性容器の口部に密嵌可能な容器連結部と、
上記チューブの他方の先端に設けられた三方活栓型アダプタと、
を備え、
上記三方活栓型アダプタにおける上記チューブと接続する連結部以外の連結部が、洗浄液を吐出するためのノズルまたは洗浄液を吸引するためのシリンジに密嵌可能な連結部である洗浄液送給具。
【請求項５】
上記チューブの長さが２ｍ以上である請求項１〜４のいずれかに記載の洗浄液送給具。
【請求項６】
流量調節つまみを備える請求項１〜５のいずれかに記載の洗浄液送給具。
【請求項７】
洗浄液が炭酸水素ナトリウムを含むものである請求項１〜６のいずれかに記載の洗浄液送給具。
【考案の詳細な説明】
【技術分野】
【０００１】
本考案は、手術時の患部といった人体の部位を洗浄液で洗浄するのに用いる洗浄液送給具に関する。
【背景技術】
【０００２】
外科手術時には、患者の感染を予防するために、手術環境の無菌性を厳密に維持・管理する必要がある。しかしながら、洗浄液として汎用されている生理食塩液、リンゲル液等を収容する輸液容器の外周面については、無菌性が保証されていない。しかも、手術現場では、洗浄液を輸液容器からビーカーやシャーレに洗浄液を移して、用時スポイド等の吸引具で吸出し、これを吐出させて使用しているのが現状である。ここで、たとえビーカーやシャーレが滅菌済みのものであったとしても、クリーンルームである手術室自体や、術者、補助者等の無菌性が必ずしも完全なものではないことから、洗浄液を開放系で使用する限りは、洗浄液に微生物等の異物が混入するおそれを除去できない。
【０００３】
それゆえ、洗浄液を閉鎖系で採取、使用できる洗浄液送給具が望まれており、とりわけ、揮発性の洗浄液については、閉鎖系での使用が強く望まれている。これは、例えば重炭酸塩を含有する洗浄液（重炭酸リンゲル、人工脳脊髄液等）は、開放系で使用することによって溶存する炭酸ガスが揮散してしまい、洗浄液のｐＨが上昇して、生理的ｐＨを上回るという好ましくない事態を招くおそれを有しているからである。
【０００４】
そこで、かかる問題を解決するために、特許文献１では、洗浄液を密閉型の可撓性容器に収容して、その容器からチューブを通じて洗浄液を供給し、チューブの先端に取り付けられたノズルから洗浄液を患部等に吐出する洗浄液送給システムを提案している。この洗浄液送給システムによれば、閉鎖系にて洗浄液を使用することから、溶存ＣＯ２の揮散に伴うｐＨの上昇を生じることがなく、洗浄液の汚染を防止することもできる。
【０００５】
しかしながら、洗浄液を大量に吐出することが必要となる場合には、ノズルから吐出される液量では不十分であることが多く、緊急を要する場合などで洗浄が間に合わなくなるという問題を生じることがある。
【特許文献１】特開２００１−３１４４０８号公報
【考案の開示】
【考案が解決しようとする課題】
【０００６】
そこで本考案の目的は、洗浄液を閉鎖系にて使用することができ、かつ一時に大量の洗浄液を吐出させることのできる、人体の部位を洗浄するための洗浄液送給具を提供することである。
【課題を解決するための手段】
【０００７】
上記目的を達成するための本考案に係る洗浄液送給具は、
人体の部位を洗浄するための洗浄液送給具であって、
チューブと、
当該チューブの一方の先端に設けられた、洗浄液を収容する密閉型可撓性容器の口部に密嵌可能な容器連結部と、
上記チューブの他方の先端に設けられて、洗浄液の吸引具または吐出具に密嵌可能な連結部と、
を備えることを特徴とする。
【０００８】
本考案の洗浄液送給具によれば、チューブの一方の先端に接続した容器連結部を、洗浄液を収容する密閉型可撓性容器の口部に密嵌させることによって、当該容器からチューブの他方の先端に密嵌させた連結部へと、洗浄液が外気に触れない状態で送給することができる。さらに、連結部に密嵌されたシリンジ等の吸引具、ノズル等の吐出具を介して、洗浄液を射出または吐出するまでの間、洗浄液の密閉状態を維持することができる。従って、例えば重炭酸リンゲルや人工脳脊髄液のような溶存ＣＯ２を有する洗浄液を手術中の患部に送給する場合であっても、溶存ＣＯ２が揮散して洗浄液のｐＨが上昇するという問題を生じることなく、その送給を達成することができる。
【０００９】
しかも、シリンジ等の吸引具やノズル等の吐出具をチューブ先端の連結部に密嵌可能なものとしていることから、適宜、吸引具等をチューブから取り外すことができる。従って、洗浄液送給具の使用の形態、具体的には洗浄液を流出させる程度（流速）等に応じて、適切な部材をチューブの先端に取り付けることができ、
上記本考案に係る洗浄液送給具の好適態様としては、下記の（１）〜（３）に示す態様が挙げられる。
【００１０】
（１）人体の部位を洗浄するための洗浄液送給具であって、
チューブと、
当該チューブの一方の先端に設けられた、洗浄液を収容する密閉型可撓性容器の口部に密嵌可能な容器連結部と、
上記チューブの他方の先端に設けられた、洗浄液を吸引するためのシリンジに密嵌可能なメス型連結部と、
を備えるもの。
【００１１】
（２）人体の部位を洗浄するための洗浄液送給具であって、
チューブと、
当該チューブの一方の先端に設けられた、洗浄液を収容する密閉型可撓性容器の口部に密嵌可能な容器連結部と、
上記チューブの他方の先端に設けられた、洗浄液を吐出するためのノズルに密嵌可能なオス型連結部と、
を備えるもの。
【００１２】
（３）人体の部位を洗浄するための洗浄液送給具であって、
チューブと、
当該チューブの一方の先端に設けられた、洗浄液を収容する密閉型可撓性容器の口部に密嵌可能な容器連結部と、
上記チューブの他方の先端に設けられた三方活栓型アダプタと、
を備え、
上記三方活栓型アダプタにおける上記チューブと接続する連結部以外の連結部が、洗浄液を吐出するためのノズルまたは洗浄液を吸引するためのシリンジに密嵌可能な連結部であるもの。
【００１３】
上記（１）に示す本考案に係る第１の好適態様では、チューブの先端に設けられた容器連結部がメス型の連結部であることから、この連結部をシリンジに密嵌させることによって、洗浄液を収容する容器から当該シリンジの内部へとチューブを介して（それゆえ、洗浄液が外気に触れることのない密閉系にて）、洗浄液を大量に送給することができる。また、洗浄液の採取後においては、シリンジを連結部から取り外して洗浄部位へと移動させることによって、所望の洗浄部位を自在に洗浄することができる。しかも、その際に洗浄部位へと供給される洗浄液は、チューブの先端にノズルを取り付けて洗浄液を自然に吐出させる場合に比べると、単位時間あたりの供給量を極めて大きなものとすることができる。従って、第１の好適態様によれば、洗浄液を密閉系にてかつ所望の洗浄部位に、大量に供給することができる。
【００１４】
さらに、上記第１の好適態様におけるメス型連結部を一般的な形状とすることによって、従来公知の種々のシリンジ（注射器）を自在に密嵌しかつ取り外すことができる。すなわち、一般的なシリンジの射出口をオス型の連結部として、これを上記のメス型連結部に接続させることで、上記洗浄液送給具にのみ対応する特別のシリンジを使用する必要がなくなる。従って、第１の好適態様によれば、洗浄液をシリンジで吸引して使用する上でのコストを低減させることができる。
【００１５】
上記（２）に示す本考案に係る第２の好適態様では、チューブの先端に設けられた容器連結部がオス型の連結部であることから、この連結部をノズルに密嵌させることによって、洗浄液を収容する容器からチューブを介して（それゆえ、洗浄液が外気に触れることのない密閉系にて）、ノズルへと洗浄液を送給することができる。また、ノズルを取り付けることで、洗浄を要する部位が狭い範囲であったとしても、所望の部位へと確実に洗浄液を吐出し、供給することができる。
【００１６】
さらに、上記第２の好適態様におけるオス型連結部を一般的な形状とすることによって、従来公知の種々のノズルを自在に密嵌しかつ取り外すことができる。すなわち、一般的なノズルの接続口をメス型の連結部として、これを上記のオス型連結部に接続させることで、上記洗浄液送給具にのみ対応する特別のノズルを使用する必要がなくなる。従って、第２の好適態様によれば、洗浄液をノズルで吐出して使用する上でのコストを低減させることができる。
【００１７】
なお、後述するように、チューブやノズルに流量調節つまみなどの、洗浄液の流量を調節する部材を取り付けることによって、容易に洗浄液の吐出量の調節することができる。
上記（３）に示す本考案に係る第３の好適態様においては、チューブの先端に設けられた容器連結部が三方活栓型アダプタと接続しており、当該三方活栓型アダプタにおける上記チューブと接続する連結部以外の連結部が、ノズルやシリンジと密嵌可能なものとなっている。このため、洗浄液を収容する容器から三方活栓型アダプタを介して（それゆえ、洗浄液が外気に触れることのない密閉系にて）、ノズルまたはシリンジへと洗浄液を送給することができる。
【００１８】
さらに、三方活栓型アダプタの一の連結部を、直接またはチューブを介してノズルに密嵌し、他の連結部をシリンジに密嵌することによって、三方活栓型アダプタの接続の切り替えにより、上記ノズルから洗浄液を自然に吐出させたり、シリンジに洗浄液を吸引、充填させたりすることができる。すなわち、三方活栓型アダプタを用いることによって、一の洗浄液送給具でシリンジとノズルとを適宜使い分けることができる。
【００１９】
三方活栓型アダプタの連結部について、とりわけシリンジに密嵌させるためのメス型連結部については、例えばめねじを備えた外筒部と、シリンジの先端を嵌挿させるための内筒部とを有する、いわゆるルアーロック型の連結部とするのが好ましい。シリンジは一般に連結部へ常時接続させるものではなく、シリンジを取り外しているときには、シリンジ接続用の連結部は系外に開放されることになる。従って、かかる連結部をルアーロック型のものとしておき、シリンジを取り外している際におねじを有する蓋部を上記外筒部に螺設しておくことによって、シリンジ接続用連結部から誤って洗浄液を漏出するのを防止することができ、当該連結部での密閉性を確保することもできる。
【００２０】
シリンジやノズルは、三方活栓型アダプタの連結部を一般的なメス型またはオス型の連結部とすることによって、かかる連結部に自在に密嵌させ、かつ取り外すことができる。しかも、三方活栓型アダプタの連結部にメス型とオス型の両方の連結部を設けることで、シリンジやノズルのいずれについても、従来公知の種々のものを採用することができる。これらの場合の作用・効果については、上記第１または第２の好適態様における作用・効果と同様である。
【００２１】
また、上記第３の好適態様においては、ノズルとシリンジとを連通させた状態で、シリンジのピストンを押圧することによって、ノズルから勢いよく洗浄液を射出させることもできる。すなわち、１の洗浄液送給具を使用しつつ、三方活栓型アダプタでの接続の切り替えや、シリンジによる吸引・押圧という簡易な操作を経ることによって、容易に洗浄液の流量を変更することができる。
【００２２】
以上の理由により、本考案に係る洗浄液送給具の第１ないし第３の好適態様は、例えば手術時における患部の洗浄処理等のように、人体の部位を洗浄するための洗浄液を閉鎖系にて使用すること、および一時に大量の洗浄液を吐出することが求められる用途において極めて好適である。
本考案に係る洗浄液送給具は、容器連結部と接続するチューブの長さが２ｍ以上であるのが好ましい。洗浄液送給具は、洗浄液の汚染を防止するという観点から、手術時等において患者のベッドサイドから離れたところに設置する必要があるところ、上記チューブの長さを２ｍ以上とすることによって、汚染防止の目的を達成することができる。上記チューブの長さは、上記範囲のなかでも特に３ｍ以上とするのが好ましい。チューブの長さの上限は、洗浄液送給具の使用環境や取り扱い性に応じて設定されるものであって、特に限定されるものではないが、一般的には１０ｍ以下、好ましくは５ｍ以下の範囲で設定するのが適当である。
【００２３】
本考案に係る洗浄液送給具は、流量調節つまみを備えるものであるのが好ましい。流量調節つまみを設けることによって、例えば第１の洗浄液送給具のメス型連結部に、シリンジに代えてノズルを取り付けた場合、第２の洗浄液送給具のオス型連結部にノズルを取り付けた場合、または第３の洗浄液送給具の三方活栓型アダプタにノズルを取り付けた場合において、当該ノズルから自然に流出する洗浄液の流量を任意に調節したり、あるいは洗浄液の流出を停止させたりすることができる。流量調節つまみを設ける部位は特に限定されるものではないが、例えばチューブ、ノズルを保持するホルダ等が挙げられる。なお、ノズルを保持するホルダに流量調節つまみを設けたときは、使用者がホルダを持ちながら流量を調節できることから、流量調節時の操作性を向上させることができる。
【００２４】
本考案に係る洗浄液送給具を用いて送給する洗浄液は、炭酸水素ナトリウムを含むものであるのが好ましい。炭酸水素ナトリウムを含む洗浄液は、炭酸の揮散に伴って洗浄液のｐＨが上昇するという問題が生じ易いところ、本考案に係る洗浄液送給装置を用いることで、かかる問題の発生を防止することができるからである。
【考案を実施するための最良の形態】
【００２５】
以下、本考案の実施の形態を、添付図面を参照して詳細に説明する。
図１は、本考案に係る洗浄液送給具の一実施形態、より詳しくは、上記第１の好適態様の一例を示す図であって、密閉型可撓性容器４０に容器連結部１２を接続した、洗浄液送給具１０の使用時における全体の構成を示している。
この洗浄液送給具１０は、チューブ１１と、チューブ１１の一方の先端に設けられた容器連結部１２と、他方の先端に設けられたメス型連結部１３と、メス型連結部１３に密嵌したシリンジ１５とを備えている。容器連結部１２は中空状の穿刺針１２ａを備えており、この穿刺針１２ａを介して洗浄液を収容する密閉型可撓性容器４０の口部に密嵌している。
【００２６】
メス型連結部１３には、シリンジ１５の先端（射出口）が密嵌しており、図１に示す状態でシリンジ１５のピストン１６を引くことによって、シリンジ１５内に容器４０に収容された洗浄液を充填することができる。
シリンジ１５内に洗浄液を充填した後、このシリンジ１５をメス型連結部１３から取り外して所望の洗浄部位へと移動させ、ピストン１６を押圧することによって、洗浄部位に対して洗浄液を勢いよく吐出させることができる。
【００２７】
図２は、本考案に係る洗浄液送給具の他の実施形態、より詳しくは、上記第２の好適態様の一例を示す図であって、密閉型可撓性容器４０に容器連結部１２を接続した、洗浄液送給具２０の使用時における全体の構成を示している。
この洗浄液送給具２０は、チューブ１１と、チューブ１１の一方の先端に設けられた容器連結部１２と、他方の先端に設けられたオス型連結部１４と、オス型連結部１４に密嵌したノズル１７とを備えている。容器連結部１２および中空状の穿刺針１２ａは、図１に示す実施形態と同様である。
【００２８】
オス型連結部１４には、ノズル１７が密嵌しており、図２に示す状態で容器４０に収容された洗浄液をノズル１７から射出することができる。
図２に示す洗浄液送給具２０において、チューブ１１には流量調節つまみ１８が取り付けられている。流量調節つまみ１８の構造については特に限定されるものではなく、例えばチューブを押圧することによって流量を調節するものなど、従来公知の種々の構造のものを採用することができる。具体的には、流量調節つまみ１８として、一般に点滴等において広く利用されているものを採用することができる。また、これに代えて、例えば特許文献１の図２および段落〔００１１〕に記載の、ノズルに組み込まれた流量調節つまみを採用することもできる。
【００２９】
図３は、本考案に係る洗浄液送給具のさらに他の実施形態、より詳しくは、上記第３の好適態様の一例を示す図であって、密閉型可撓性容器４０、シリンジ１５およびノズル１７を接続した、洗浄液送給具３０の使用時における全体の構成を示している。
この洗浄液送給具３０は、チューブ２１と、チューブ２１の一方の先端に設けられた容器連結部２２と、他方の先端に設けられた三方活栓型アダプタ２３と、当該アダプタ２３における位置の連結部２４ｃに接続されたチューブ２５とを備えている。容器連結部２２は中空状の穿刺針２２ａを備えており、この穿刺針２２ａを介して洗浄液を収容する密閉型可撓性容器４０の口部に密嵌している。
【００３０】
三方活栓型アダプタ２３にはメス型の連結部２４ｂが設けられており、この連結部２４ｂをシリンジ１５の先端に密嵌させることができる。図３に示す状態で、すなわちチューブ２１とつながる連結部２４ａと、シリンジ１５とつながる連結部２４ｂとを連通させた状態で、シリンジ１５のピストン１６を引くことによって、シリンジ１５内に容器４０に収容された洗浄液を充填することができる。
【００３１】
三方活栓型アダプタ２３には、チューブ２１とつながる連結部２４ａと、シリンジ１５とつながる連結部２４ｂのほかに、さらにもう一つの連結部２４ｃを備えている。この連結部２４ｃにチューブ２５を介してまたは直接にノズル１７を接続するとともに、チューブ２１とつながる連結部２４ａと、ノズル１７につながる連結部２４ｃとを連通させることによって、容器４０に収容された洗浄液をノズル１７から吐出させることができる。
【００３２】
さらに、シリンジ１５とつながる連結部２４ｂと、ノズル１７につながる連結部２４ｃとを連通させるとともに、ピストン１６を押圧することによって、ノズル１７から勢いよく洗浄液を射出することができる。
このように、三方活栓型アダプタ２３を用いることによって、容器４０とノズル１７とシリンジ１５のいずれも、密閉状態を維持しつつ接続することができる。
【００３３】
なお、図３に示す三方活栓型アダプタ２３では、容器４０につながる連結部２４ａと、シリンジ１５につながる連結部２４ｂと、ノズル１７につながる連結部２４ｃとのいずれも連通する状態に、コック２４ｄが配置されている。コック２４ｄを回転することによって、（ａ）容器４０から流れる洗浄液をノズル１７にのみ供給し、シリンジ１５には供給しない状態、（ｂ）容器４０から流れる洗浄液をシリンジ１５にのみ供給し、ノズル１７には供給しない状態、（ｃ）容器４０から流れる洗浄液をシリンジ１５にもノズル１７にも供給する状態、（ｄ）容器４０から流れる洗浄液をシリンジ１５とノズル１７のいずれにも供給しない状態、の４通りの状態に切り替えることができる。
【００３４】
図３に示す洗浄液送給具３０の連結部２４ａ，２４ｃ（シリンジ接続用の連結部２４ｂ以外のもの）については、接続する部材に応じてオス型またはメス型のいずれかを選択すればよい。
図３に示す洗浄液送給具３０において、チューブ２１には流量調節つまみ１８が取り付けられている。このノズル１７および流量調節つまみ１８の構造、作用・効果については、図２に示すノズル１７および流量調節つまみ１８と同様である。
【００３５】
流量調節つまみ１７の取付位置はチューブ２１に限定されるものではなく、例えば三方活栓型アダプタ２３よりも下流のチューブ２５に取り付けてもよい。チューブ２１に流量調節つまみ１８を取り付けた場合には、例えばシリンジ１５の使用時において、シリンジ１５で洗浄液を吸引し易い流量となるように調節することができる。
本考案に係る洗浄液送給具において、チューブ１１，２１，２５の材質には、ポリオレフィン、軟質塩化ビニル、エチレン−酢酸ビニル共重合体（ＥＶＡ）等の熱可塑性樹脂、シリコーンゴム等が挙げられる。本考案の洗浄液送給具を、手術時等における重炭酸リンゲルや人工脳脊髄液等の洗浄液を送給する用途に使用する場合には、チューブの材質として、上記例示のものの中でも特に、ポリオレフィンなどの医学的に安全性が確立されているものを用いるのが好ましい。
【００３６】
チューブの長さは特に限定されるものではないが、図１および図２に示す実施形態の場合には、容器４０からメス型連結部１３またはオス型連結部１４までのチューブ１１の長さが２ｍ以上となるように設定するのが好ましく、図３に示す実施形態の場合には、容器４０から三方活栓型アダプタ２３までのチューブ２１の長さが２ｍ以上となるように設定するのが有効である。
【００３７】
ノズル１７の材質としては、熱可塑性エラストマー、ポリオレフィンまたはこれらの混合物が好適であるが、これらに限定されるものではない。流量調節つまみ１８の材質は、ポリエチレン、ポリプロピレン等のポリオレフィンが好適であるが、これらに限定されるものではない。
本考案に係る洗浄液送給具に適用される洗浄液としては特に限定されるものではなく、洗浄の対象、用途等に応じて、任意に選択することができる。なお、洗浄液を閉鎖系にて使用することができるという本考案の洗浄液送給具は、重炭酸リンゲルや炭酸水素ナトリウムを含む洗浄液のように、溶存する気体の揮散に伴って性状が変化する洗浄液を使用するのに好適である。
【００３８】
本考案は、以上の記載に限定されるものではなく、特許請求の範囲に記載した事項の範囲において、種々の設計変更を施すことが可能である。
【図面の簡単な説明】
【００３９】
【図１】本考案に係る洗浄液送給具の一実施形態を示す全体構成図である。
【図２】本考案に係る洗浄液送給具の他の実施形態を示す全体構成図である。
【図３】本考案に係る洗浄液送給具のさらに他の実施形態を示す全体構成図である。
【符号の説明】
【００４０】
１０，２０，３０  洗浄液送給具
１１，２１  チューブ
１２，２２  容器連結部
１３，２４ｂ  メス型連結部
１４  オス型連結部
１５  シリンジ
１７  ノズル
２３  三方活栓型アダプタ
【図１】
0003101748.tif 000003
【図２】
0003101748.tif 000004
【図３】
0003101748.tif 000005